(57)【要約】【課題】調整後の表示部アームが動きにくく、再調整が容易であるヘッドマウントディスプレイを提供する。【解決手段】保持部４には、回動部６を介して第１表示部アーム７が、装着時の左右方向を回動軸として回動自在に設けられ、第１表示部アーム７には、第２表示部アーム８が摺動可能なように差し込まれている。第２表示部アーム８の先端部には表示部９が自在ヒンジを介して取り付けられている。第２表示部アーム８は、クリック機構に拘束されながら、第１表示部アーム７から出し入れされる。よって、一度調整すれば、クリック力が働くので、第２表示部アーム８の位置がずれにくくなる。【選択図】  図１
2008147741.tif 000002
【特許請求の範囲】
【請求項１】
頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に回動部を介して連結された第１表示部アームと、前記第１表示部アームに対して摺動して進退可能に接続された第２表示部アームと、当該第２表示部アームの先端に連結された表示部を有し、かつ、前記第２表示部アームを前記第１表示部アームに対して係止するクリック部を有し、前記第２表示部アームは、規則的な間隔で前記クリック部により前記第１表示部アームに係止され、かつ進退可能であることを特徴とするヘッドマウントディスプレイ。
【請求項２】
前記規則的な間隔は、１〜１０ｍｍの範囲の間隔であることを特徴とする請求項１に記載のヘッドマウントディスプレイ。
【請求項３】
前記第２表示部アームの、標準的な進退位置に、目印が設けられていることを特徴とする請求項１又は請求項２に記載のヘッドマウントディスプレイ。
【請求項４】
頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に回動部を介して進退可能に連結された表示アームと、前記表示アームの先端に連結された表示部を有し、かつ前記表示アームを前記回動部に対して係止するクリック部を有し、前記表示アームは、規則的な間隔で前記クリック部により前記回動部に係止可能で、かつ、進退可能であることを特徴とするヘッドマウントディスプレイ。
【請求項５】
前記規則的な間隔は、１〜１０mmの範囲の間隔であることを特徴とする請求項４に記載のヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ウェアラブルディスプレイと呼ばれている。このようなウェアラブルディスプレイの例は、例えばＷＯ２００４／０６１５１９Ａ１公報（特許文献１）に記載されている。
【０００３】
この映像表示装置は、多くの場合、頭に巻いた形で頭部に装着する構成とされ（ヘッドマウントディスプレイと呼ばれている）、両眼に対応する位置に映像表示系を形成した両眼タイプと左右眼の一方の眼に対応する位置に映像表示系を形成した片眼タイプとがある。このようなウェアラブルディスプレイは、通常は、映像を表示する表示部と音声を出力するヘッドホーンとを有している。
【特許文献１】ＷＯ２００４／０６１５１９Ａ１公報
【発明の開示】
【発明が解決しようとする課題】
【０００４】
このようなヘッドマウントディスプレイにおいては、頭部側面（耳部）と接触してヘッドマウントディスプレイを頭部に固定すると共に音声を出力する左右のパッドと、このパッドをそれぞれ保持する左右の保持部と、この保持部を連結して、パッドを頭部側面の左右に押し付けるような付勢力を与えるヘッドバンド部と、一方の前記保持部に回動部を介して連結された表示部アームと、この表示部アームの先端に連結された表示部を有し、表示部アームが保持部に対して摺動して進退可能とされているのが普通である。
【０００５】
映像を観察するときは、表示部アームを保持部に対して進退させて、表示部が眼前のちょうど良い位置に来るように調整して使用していた。そのため、ヘッドマウントディスプレイを装着するたび毎にこの調整が必要であり、煩わしいという問題があった。又、ヘッドマウントディスプレイを使用しないときは、表示部アームを保持部に対して回動させて表示部を頭頂部に位置させる方式が採用されているが、この場合、表示部の重量のために、表示アームが摺動して、表示部の位置が変わってしまうという問題点があった。
【０００６】
本発明はこのような事情に鑑みてなされたものであり、調整後の表示部アームが動きにくく、再調整が容易であるヘッドマウントディスプレイを提供することを課題とする。
【課題を解決するための手段】
【０００７】
前記課題を解決するための第１の手段は、頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に回動部を介して連結された第１表示部アームと、前記第１表示部アームに対して摺動して進退可能に接続された第２表示部アームと、当該第２表示部アームの先端に連結された表示部を有し、かつ、前記第２表示部アームを前記第１表示部アームに対して係止するクリック部を有し、前記第２表示部アームは、規則的な間隔で前記クリック部により前記第１表示アームに係止され、かつ、進退可能であることを特徴とするヘッドマウントディスプレイである。
【０００８】
前記課題を解決するための第２の手段は、前記第１の手段であって、前記規則的な間隔は、１〜１０ｍｍの範囲の間隔であることを特徴とするものである。
【０００９】
前記課題を解決するための第３の手段は、前記第１の手段又は第２の手段であって、前記表示部アームの、標準的な進退位置に、目印が設けられていることを特徴とするものである。
【００１０】
前記課題を解決するための第４の手段は、頭部に装着して使用し、映像を出力するヘッドマウントディスプレイであって、頭部側面と接触する左右のパッドと、前記パッドをそれぞれ保持する左右の保持部と、前記保持部を連結して、前記パッドを頭部側面の左右に押し付けるような付勢力を与えるヘッドバンド部と、一方の前記保持部に回動部を介して進退可能に連結された表示アームと、前記表示アームの先端に連結された表示部を有し、かつ前記表示アームを前記回動部に対して係止するクリック部を有し、前記表示アームは、規則的な間隔で前記クリック部により前記回動部に係止可能で、かつ、進退可能であることを特徴とするヘッドマウントディスプレイである。
【００１１】
前記課題を解決するための第５の手段は、前記第４の手段であって、前記規則的な間隔は、１〜１０mmの範囲の間隔であることを特徴とするものである。
【発明の効果】
【００１２】
本発明によれば、調整後の表示部アームが動きにくく、再調整が容易であるヘッドマウントディスプレイを提供することができる。
【発明を実施するための最良の形態】
【００１３】
以下、本発明の実施の形態の例を、図を用いて説明する。図１は、本発明の実施の形態の１例であるヘッドマウントディスプレイを装着した状態を上方から見た図である。このヘッドマウントディスプレイは、両耳を左右から押さえてヘッドマウントディスプレイを頭部に固定するイヤーパッド１、２を備えている。各イヤーパッド１、２の中にはスピーカーが設けられ、それぞれの耳に音声を出力する。
【００１４】
各イヤーパッド１、２は、自在ヒンジを介して、それぞれ保持部３、４に固定されている。左右の保持部３、４は、ヘッドバンド部５内に摺動自在に差し込まれ、ヘッドバンド部５により連結されている。ヘッドバンド部５は弾力性を有し、イヤーパッド１、２を左右から耳部に押し付ける付勢力を与える。
【００１５】
保持部４には、回動部６を介して第１表示部アーム７が、装着時の左右方向を回動軸として回動自在に設けられ、第１表示部アーム７には、第２表示部アーム８が摺動可能なように差し込まれている。第２表示部アーム８の先端部には表示部９が自在ヒンジを介して取り付けられている。
【００１６】
図２は、図１のＡ部拡大図である。第２表示部アーム８には、規則的な間隔（間隔１〜１０ｍｍの間の決まった値）で係止用凹部８ａが設けられている。一方第１表示部アーム７には凹部７ａが設けられ、その中に図に示すように曲げられた板バネ１０が嵌め込まれている。第２表示部アーム８を第１表示部アーム７の中に差し込んで摺動させたとき、板バネ１０の凸部が係止用凹部８ａの中に嵌り込んで第２表示部アーム８を係止する。この係止力に抗して第２表示部アーム８を摺動させると、次の係止用凹部８ａの中に板バネ１０の凸部が嵌り込むまで第２表示部アーム８が摺動する。すなわち、これらの機構は、クリック機構を構成している。従って、一度係止用凹部８ａの中に嵌り込んだ板バネ１０の付勢力に逆らって第２表示部アーム８を摺動させるには、ある程度の力を要するので、一度、第２表示部アーム８の位置を調整しておけば、第２表示部アーム８が容易にその位置からずれることが無くなり、再調整が不要となる。板バネ１０の代わりに線バネを使うこともできる。
【００１７】
なお、表示部９の位置には、ある程度の標準的な位置が定まり、それによって、第２表示部アーム８の飛び出し長さも標準的なものが定まる。そこで、その位置を明確にするために、目印１１を付けておき、この目印１１が所定の位置に来るように第２表示部アーム８の飛び出し量を調整すれば、標準的な表示部９の位置で画像を観察することができる。又、この標準的な位置を目安にして、そこから微調整を行うこともできる。
【００１８】
図３は、第１表示部アーム７そのものをクリック機構を構成するのに使用した例であり、（ａ）は断面図、（ｂ）は、（ａ）におけるＢ方向から見た図である。第１表示部アーム７には切り欠き部７ｂが設けられ、その結果バネ部７ｃが構成されている。このバネ部７ｃは凸部７ｄを有し、凸部７ｄが第２表示部アーム８の係止用凹部８ａに弾性力で嵌り込み、第２表示部アーム８の摺動を係止するようになっている。その作用効果は図２に示したものと同じである。
【００１９】
なお、変形例として、第１表示アーム７、第２表示アーム８を用いず、一本の表示アームを採用し、一方、回動部と前記一本の表示アームとの連結部分に、回動部に対して前記一本の表示アームが進退可能で、かつ回動部に対して係止可能なクリック部を持たせた構造のヘッドマウントディスブレイがある。このヘッドマウントディスプレイのクリック部の構造としては、前述の実施形態と同じ構造が採用可能である。
【図面の簡単な説明】
【００２０】
【図１】本発明の実施の形態の１例であるヘッドマウントディスプレイを装着した状態を上方から見た図である。
【図２】図１のＡ部拡大図の１例である。
【図３】図１のＡ部拡大図の他の例である。
【符号の説明】
【００２１】
１…イヤーパッド、２…イヤーパッド、３…保持部、４…保持部、５…ヘッドバンド部、６…回動部、７…第１表示部アーム、７ａ…凹部、７ｂ…切り欠き部、７ｃ…バネ部、７ｄ…凸部、８…第２表示部アーム、８ａ…係止用凹部、９…表示部、１０…板バネ
【図１】
2008147741.tif 000003
【図２】
2008147741.tif 000004
【図３】
2008147741.tif 000005